(57)【要約】      （修正有）【課題】動力源を必要としないでマッサージ効果が得られ、あたかもジェット噴射式に気泡が浴槽中の湯の中に噴出するハンディタイプの気泡発生器を提供する。【解決手段】ケース本体１と通水孔付き底蓋１０で構成する。本体１は頂壁２が傾斜形成され、前壁６の傾斜面に連なる仕切り片９上端が頂壁２先端の円曲部３内側に間隙部８を存して臨み、円曲部３の下端に連なる水平部４に複数の気泡孔を形成し底蓋１０に錘部１２を備える。炭素系入浴剤を収納して発生器Ａを浴槽に配置すると、底蓋１０の通水孔１１より流入した湯に反応して発生した入浴剤の気泡が、本体１内を通って付勢され、気泡孔から浴槽内に噴流状となって放出する。【選択図】図１
0003197204.tif 000002
【実用新案登録請求の範囲】
【請求項１】
無底筒状のケース本体と、該本体に取り付けて本体底部を開閉する通水孔付き底蓋で構成され、前記本体は透明合成樹脂製であって頂壁が傾斜形成され、前壁の上部に傾斜面とそれに連なる仕切り片を形成して仕切り片上端が頂壁先端の円曲部内側に間隙部を存して臨み、且つ円曲部の下端に連なる水平部に複数の気泡孔を穿ち、前記底蓋に、底蓋よりも下方に突出する錘部を一体的に備え、しかして炭素系入浴剤を収納して発生器を浴槽に配置すると、底蓋の通水孔より流入した湯に反応して発生した入浴剤の気泡が、本体の頂壁に衝当するとともに対流状となって間隙部から気泡孔を通り前壁傾斜面より浴槽内に噴出することを特徴とする入浴剤の気泡発生器。
【考案の詳細な説明】
【技術分野】
【０００１】  本考案は、入浴剤を入れて湯に投入すると勢いよく気泡を発生する入浴剤の気泡発生器に関する。
【背景技術】
【０００２】  家庭用の浴槽に入浴剤を混ぜることで血行を促進し、肩の凝り、腰痛などの疾患の改善や疲労回復を意図することは日常手的に行われるところであり、現在種々の入浴剤が市場にも出回っていて家庭でも手軽に利用されている。これら入浴剤の形態も粉状は勿論、錠剤状、粒状、液状など様々のものがあり、温泉気分を実感できるような芳香剤を取り入れたものや、心臓に負担をかけないで保温や血行促進効果を一層高めるために浴槽中に炭酸ガスを放出するといった類の入浴剤も汎用され、更には気泡に香りを付す技術も知られている。また凝りや血行促進のためのマッサージ効果を目的として噴射水を発生させる所謂ジャグジーを取り付けるようにした装置や、入浴剤の炭酸ガスを動力源とした玩具なども存在する（例えば特許文献１〜４参照）。
【先行技術文献】
【特許文献】
【０００３】
【特許文献１】特開平７−３２８０８９号公報
【特許文献２】登録実用新案第３１２１２８２号公報
【特許文献３】特開平２０１０−５１７７２号公報
【特許文献４】特開２００３−１０３０６４号公報
【考案の概要】
【考案が解決しようとする課題】
【０００４】  ジャグジーを用いて浴槽に噴射水を送り込んだり気泡を発生させて入浴中の体を刺激することは効果的であり、前記した文献にもそのような趣旨のことが記述されている。特許文献１には浴槽中の湯へ圧縮空気源から送られる圧縮空気に芳香を付与して湯中へ噴出することが開示されており、気泡と入浴剤の双方を湯に入れるのとは異なる視点の独創性が認められる。しかしながらこの技術は浴槽とは別に圧縮空気源を必要とするのに加え、当然ながら芳香発生手段も備えるといった特別の装置を要するのでその分費用がかかるといった不利と、それゆえ家庭用の浴槽には手軽に設置するのは難しいといった問題がある。【０００５】  浴槽湯利用のマッサージ装置を主旨とした特許文献２は、ハンディ型の給水器本体（ジャグジー）を湯中に設けることを特徴としたものであり、給水器本体にはポンプを内蔵し、上部には吐出口があってその吐出口にホースが取り付けられている。給水器本体は送気管から送られたエアを取り込んでそのエア圧を受けた湯水がホース他端から噴出するというものである。入浴者がホースを掴んで体の必要部位に向けると、噴射水が勢いよくその個所に当接するためマッサージ効果が得られるということを目的としている。この技術は特に入浴剤とは関係ないが、いわば小型のジャグジーを用いて手軽にマッサージできることは評価に値するといえるものの、給水器のモーターを作動させるには電源器と接続コード等を必要とするため装置がやや複雑となり、電源を有しない風呂場には実施しがたいといった問題がある。【０００６】  浴槽内にジャグジー具を設ける装置は特許文献３にも記載されている。この技術は空気充填式で介護用に開発されたものであり、一般的な家庭用浴槽とは趣きを異にしている。この種の浴槽は入浴使用後の湯は排水してその都度新たな湯水を注入するといった形式のものであるから入浴剤を使用することには馴染まず、ジャグジー具は湯を噴出させてマッサージ機能を発揮するといった働きをするに過ぎない。【０００７】  特許文献４は入浴剤玩具に関する発明であり、炭酸ガス発泡入浴剤の噴出ガスを玩具の動力源としたことを特徴としている点で前記した三つの特許文献とは趣旨を異にしている。この技術は玩具としては目新しいものといえるが、入浴剤を直接幼児童自身が取扱いできるものではないのと、構成上の観点からも果たして入浴剤の炭酸ガスの動力でどれだけの推進力となることが可能となるか等も不明といえる。【０００８】  本考案は上記従来技術とは異なり装置に電源を必要とせず、入浴剤の有効利用ができてマッサージ効果が得られ、家庭で温泉気分に浸ることもできる簡便な気泡発生器を提供することを目的としている。
【課題を解決するための手段】
【０００９】  そのために本考案は、無底筒状のケース本体と、該本体に取り付けて本体底部を開閉する通水孔付き底蓋で構成され、前記本体は透明合成樹脂製であって頂壁が傾斜形成され、前壁の上部に傾斜面とそれに連なる仕切り片を形成して仕切り片上端が頂壁先端の円曲部内側に間隙部を存して臨み、且つ円曲部の下端に連なる水平部に複数の気泡孔を穿ち、前記底蓋に、底蓋よりも下方に突出する錘部を一体的に備え、しかして炭素系入浴剤を収納して発生器を浴槽に配置すると、底蓋の通水孔より流入した湯に反応して発生した入浴剤の気泡が、本体の頂壁に衝当するとともに対流状となって間隙部から気泡孔を通り前壁傾斜面より浴槽内に噴出することを特徴としている。【００１０】  前記底蓋の一端が、ヒンジを介してケース本体の下端に取り付けられたものであることを特徴とする。
【考案の効果】
【００１１】  ケース本体内に入浴剤を入れて湯を張った浴槽に発生器全体を沈めると、底蓋の通水孔から湯が入り込んで入浴剤が溶解し気泡が本体内から間隙部を通って気泡孔より勢いよく浴槽の湯中に噴出する。気泡の圧力を受けて湯は撹拌された状態となり、湯中に体を横たえると入浴剤の気泡噴出が衝当してあたかもマッサージをされたような心地よい刺激感を味わうことができ血流が促進する。ケース本体を通った気泡は単なる泡立ちと異なり強力に付勢されているため湯中に波動して入浴剤は満遍なく浴槽全体に及びその機能を遺憾なく発揮する。【００１２】  本考案の発生器は従来存在するハンディ型ジャグジー具のように電源やモーターを必要としないため環境にも優しく、内部に入浴剤を入れればその気泡はケース本体内を通って噴出するという頗るシンプルな仕組みのものであり、入浴剤が溶解したあとも湯水はケース本体内に入り込んで気泡孔より排出される過程の繰り返しであり、穏やかな波動の循環が継続するため体にソフトな刺激を与え続けるものであり、構造簡単で余分な製作費用もかからず安価量産に好適する。
【図面の簡単な説明】
【００１３】
【図１】本考案の斜視図である。
【図２】底蓋を開いた本考案の縦断側面図である。
【図３】一部を切り欠いた本考案の正面図である。
【図４】本考案の使用状態を示す浴槽の説明図である。
【考案を実施するための形態】
【００１４】  図面を参照してこの考案を実施するための形態につき説明すると、図１及び図２において発生器Ａは無底筒状のケース本体１と底蓋１０で構成されている。ケース本体１は透明合成樹脂、好ましくはアクリル樹脂からなり、本体１の頂壁２はおよそ３３度の角度を持って傾斜形成され、頂壁２の先端は丸味を帯びた鉤形の円曲部３となっている。
【００１５】  円曲部３の下端にある水平部４には６ｍｍ程度の直径とした複数個（図３では５個）の気泡孔５が穿設され、前壁６の上部内方に気泡孔５に相対する傾斜面７とこれに連なるやゝ前方傾斜状とした仕切り片９が延びて該仕切り片９の先端が前記円曲部３の内面との間に間隙部８を存して臨んでいる。
【００１６】  前記底壁１０は下面に該底壁１０よりも小形の錘部１２を備え、錘部１２はケース本体１よりも下方に突出する厚み（およそ１０ｍｍほど）と所定の重みを持つ素材、例えばスチール製とすることで本体１に安定度を付与するものとし、底蓋１０には錘部１２を除く個所に通水孔１１を形成してある。そして底蓋１０の一端はヒンジ１３を介してケース本体１の下端に取り付ける構成にすると、底蓋１０は本体１と一体的に形成することができる。
【００１７】  入浴剤２０は、気泡を発生する炭素系のものを使用し、錠剤状・粒状などの固形物としたものを使用することが好ましい。そして図３に示すように入浴剤２０を入れた発生器Ａを、図４に示す湯を張った浴槽３０内に入れると発生器Ａは浴槽３０の底部３１に沈み、錘部１２の下面が底部３１と接して全体が妄動することはなく、また本体１の下面を閉塞してある底蓋１０は、錘部１２の突出した分浴槽底部４１との間に隙間が生ずるため湯が底蓋１０の通水孔１１からケース本体１内に流入する。
【００１８】  入浴剤２０は底蓋１０の上面に乗っているため通水孔１１から入った湯によって漸次溶解し炭酸ガスの気泡となって上昇する。上昇した気泡は本体頂壁２に衝当するが、該頂壁はおよそ３３度の傾斜角を有しているためこの傾斜面に沿い対流状となって片側へと上昇し、いわば逃げ場を失った形となるが、仕切り片９と円曲部３との間には間隙部８が存在するのでこの部分から集約的に円曲部３の先端内部に進んで一旦滞留するも、水平部４に気泡孔５が形成されているため該気泡孔から噴流状となって排出し、前壁６の傾斜面７から浴槽３０の湯中に放出される。それゆえ付勢された気泡混じりの湯が浴槽３０に波動して入浴剤２０の成分が浴槽中に満遍なく行き渡り、温泉湯のような芳香入りの入浴剤であれば温泉につかると同じような気分にひたることもできる。湯中に混じった気泡は炭酸ガスの発生がやむと当然ながらその勢いは衰えるものの、本体１内には底蓋１０の通水孔１１から常時湯が入り込み、緩やかな勢いとなって本体１内を循環して気泡孔５から浴槽３０中に放出され、その流れが繰り返される。
【００１９】  以上のように本考案は単に入浴剤の気泡を湯中に溶解するだけではなく、ケース本体１の頂壁２を傾斜状として湯と気泡の流れを対流しつつ一方向に集約し且つ一旦滞留させたものが小さな気泡孔５から、あたかもジェット噴射のように付勢されて放出できるというこの上ない独創性を備えたものであり、しかも従来品のように電源やポンプ、モーターなどの余分な装置も必要とせず、加えて手のひらサイズで持ち運びにも便利であり、必要に応じいつでも家庭用浴槽に使用できて頗る利便性に富むものといえる。
【００２０】  なお上記の実施形態において図中ケース本体１の仕切り片９などを一体形状としたり内部を透視して示してあるがこれは説明の便宜上にすぎないこと、またケース本体１や底蓋１０の素材・外観形状、本体１と底蓋１０の取り付け・開閉手段等は必ずしも記述したところに限定されず、気泡孔５や通水孔１１などの大きさ、個数などは任意であること勿論であり、その他本考案の目的効果を奏する範囲における事項の変更などは必然的に本考案の実施の範疇に属するものである。
【符号の説明】
【００２１】  Ａ    発生器
１    ケース本体
２    頂壁
３    円曲部
４    水平部
５    気泡孔
６    前壁
７    傾斜面
８    間隙部
９    仕切り片
１０  底蓋
１１  通水孔
１２  錘部
１３  ヒンジ
２０  入浴剤
３０  浴槽
３１  底部
【図１】
0003197204.tif 000003
【図２】
0003197204.tif 000004
【図３】
0003197204.tif 000005
【図４】
0003197204.tif 000006